(57)【特許請求の範囲】
【請求項１】
第１の記憶媒体および第２の記憶媒体が装着される情報処理装置において、
前記第１の記憶媒体が装着される第１の装着手段と、
前記第２の記憶媒体が装着される第２の装着手段と、
前記第１の装着手段に前記第１の記憶媒体を装着するための第１の開口部を遮蔽または開放する遮蔽手段と
を備え、
前記遮蔽手段には、前記第１の装着手段の前記第１の開口部を遮蔽した状態において、前記第２の装着手段に前記第２の記憶媒体を装着するための第２の開口部を介し、前記第２の装着手段に対して前記第２の記憶媒体を着脱するための穴が設けられ、
前記第２の装着手段に装着された前記第２の記憶媒体は、指で摘める位置に前記穴から突出する
ことを特徴とする情報処理装置。
【請求項２】
前記第１の記憶媒体は、ＰＣカードである
ことを特徴とする請求項１に記載の情報処理装置。
【請求項３】
前記第２の記憶媒体は、メモリースティックである
ことを特徴とする請求項１に記載の情報処理装置。
【発明の詳細な説明】
【０００１】
【発明の属する技術分野】
本発明は、情報処理装置に関し、特に、複数の記憶媒体を装着し、装着されている記憶媒体に所定のデータを記憶させ、記憶媒体に記憶されているデータを読み出す情報処理装置に関する。
【０００２】
【従来の技術】
ＰＣカード、フラッシュメモリ、またはメモリースティック（商標）などの複数の記憶媒体が装着される、デジタルカメラ、パーソナルコンピュータ、留守番電話などの情報処理装置が利用されている。装着されたこれらの記憶媒体は、それぞれ、所定の画像または音声などを記憶する。記憶媒体に記憶された画像または音声などは、画像または音声を記憶させた情報処理装置（例えば、デジタルカメラなど）または他の情報処理装置（例えば、パーソナルコンピュータなど）で再生され、利用される。
【０００３】
留守番電話にＰＣカードおよびメモリースティックが装着されるとき、例えば、ＰＣカードは、留守番電話にメッセージの入力を促す音声が記憶され、メモリースティックは、電話をかけてきた相手方からのメッセージが記憶される。相手方からのメッセージが記憶されているメモリースティックは、電話をかけてきた相手方からのメッセージが記憶された後、留守番電話から取り外され、例えば、パーソナルコンピュータなどの他の情報処理装置に装着され、そのパーソナルコンピュータは、記憶されているメッセージを再生する。
【０００４】
また、ＰＣカードおよびメモリースティックが装着されるデジタルカメラにおいて、例えば、ＰＣカードは、撮影された画像の全てを記憶し、パーソナルコンピュータなどの他の情報処理装置で撮影された画像を再生するとき、メモリースティックは、ＰＣカードから撮影された画像のデータがコピーされる。撮影された画像のデータがコピーされたメモリースティックは、デジタルカメラから取り外され、パーソナルコンピュータに装着される。メモリースティックに記憶されている画像のデータは、パーソナルコンピュータに読み出され、再生される。
【０００５】
【発明が解決しようとする課題】
情報処理装置に複数の記憶媒体が装着されているとき、利用者は、いずれの記憶媒体を着脱すればよいかわかりにくく、間違った記憶媒体を着脱することがある。
【０００６】
本発明はこのような状況に鑑みてなされたものであり、情報処理装置に複数の記憶媒体が装着されていても、着脱する記憶媒体がわかりやすく、着脱する記憶媒体を間違えることがないようにすることを目的とする。
【０００７】
【課題を解決するための手段】
請求項１に記載の情報処理装置は、第１の記憶媒体が装着される第１の装着手段と、第２の記憶媒体が装着される第２の装着手段と、第１の装着手段に第１の記憶媒体を装着するための第１の開口部を遮蔽または開放する遮蔽手段とを備え、遮蔽手段には、第１の装着手段の第１の開口部を遮蔽した状態において、第２の装着手段に第２の記憶媒体を装着するための第２の開口部を介し、第２の装着手段に対して第２の記憶媒体を着脱するための穴が設けられ、第２の装着手段に装着された第２の記憶媒体は、指で摘める位置に穴から突出することを特徴とする。
【０００８】
請求項１に記載の情報処理装置においては、第１の記憶媒体が装着され、第２の記憶媒体が装着され、第１の記憶媒体を装着するための第１の開口部が遮蔽または開放され、第１の開口部が遮蔽された状態において、穴を通じて、第２の記憶媒体を装着するための第２の開口部を介し、第２の記憶媒体が着脱され、装着された第２の記憶媒体は、指で摘める位置に穴から突出する。
【０００９】
【発明の実施の形態】
図１は、本発明に係る信号変換装置１の一実施の形態を示す図である。信号変換装置１は、リモートコントローラ２により遠隔制御される。信号変換装置１は、ビデオカメラ一体型のデジタルＶＴＲ(Video Tape Recorder)３と、IEEE(Institute of Electrical and Electronics Engineers)1394シリアルバス４により接続されている。信号変換装置１は、IEEE1394シリアルバス４を介して、デジタルＶＴＲ３にＤＶ  ＶＣＲ（Digital Video Video Cassette Recorder）フォーマットのデジタルビデオデータを出力し、デジタルＶＴＲ３からＤＶ  ＶＣＲフォーマットのデジタルビデオデータを入力する。すなわち、信号変換装置１およびデジタルＶＴＲ３を接続するためのデジタルインターフェースとしてIEEE1394が用いられている。
【００１０】
信号変換装置１は、ケーブル６を介して、モニタ５にアナログのビデオ信号を出力し、ケーブル８を介して、ＶＴＲ７からアナログのビデオ信号を入力する。
【００１１】
信号変換装置１は、デジタルＶＴＲ３から入力されたデジタルビデオデータを、アナログのビデオ信号に変換し、モニタ５に出力する。または、信号変換装置１は、ＶＴＲ７から入力されたアナログのビデオ信号を、デジタルビデオデータに変換し、デジタルＶＴＲ３に出力する。あるいは、信号変換装置１は、ＶＴＲ７から入力されたアナログのビデオ信号を、そのまま、モニタ５に出力する。
【００１２】
信号変換装置１は、所定のメモリが内蔵されているＰＣカード９またはメモリースティック１０が装着され、所定の操作に対応し、入力されたデジタルビデオデータまたはアナログのビデオ信号を静止画像に変換し、その静止画像を装着されているＰＣカード９またはメモリースティック１０に記憶させる。
【００１３】
信号変換装置１は、装着されているＰＣカード９またはメモリースティック１０が記憶する静止画像を、アナログのビデオ信号に変換し、モニタ５に出力する。信号変換装置１は、装着されているＰＣカード９またはメモリースティック１０が記憶する静止画像を、デジタルビデオデータに変換し、デジタルＶＴＲ３に出力する。
【００１４】
また、信号変換装置１は、所定の操作に対応し、装着されているＰＣカード９に記憶されている静止画像を、装着されているメモリースティック１０にコピーする。同様に、信号変換装置１は、所定の操作に対応し、装着されているメモリースティック１０に記憶されている静止画像を、装着されているＰＣカード９にコピーする。
【００１５】
信号変換装置１の音声の処理については説明を省略する。
【００１６】
図２は、信号変換装置１の蓋１１を開いた状態の正面図であり、図３は、信号変換装置１の蓋１１を開いた状態の右側面図である。ＰＣカードコネクタ１２は、所定のメモリが内蔵されているＰＣカード９が装着される。メモリースティックコネクタ１３は、メモリースティック１０が押し込まれて装着される。メモリースティックコネクタ１３に装着されているメモリースティック１０は、再度、メモリースティックコネクタ１３に押し込まれると、取り外すことができる。
【００１７】
ＬＥＤ１４は、メモリースティックコネクタ１３に装着されているメモリースティック１０にデータが書き込まれている、またはエラーが発生しているなど、装着されているメモリースティック１０の状態を表示する。ＶＴＲ７から入力されたアナログのビデオ信号が信号変換装置１に入力されているとき、ＬＥＤ１５は点灯する。デジタルＶＴＲ３から入力されたデジタルビデオデータが信号変換装置１に入力されているとき、ＬＥＤ１６は点灯する。ＬＥＤ１７は、ＰＣカードコネクタ１２に装着されているＰＣカード９にデータが書き込まれている、またはエラーが発生しているなど、装着されているＰＣカード９の状態を表示する。
【００１８】
図４は、信号変換装置１の蓋１１を閉じた状態の正面図であり、図５は、信号変換装置１の蓋１１を閉じた状態の右側面図である。信号変換装置１の蓋１１を閉じたとき、ＰＣカードコネクタ１２がカバーされるため（開口部が塞がれるため）、使用者は、ＰＣカードコネクタ１２に装着されているＰＣカード９を取り外すことはできず、また、ＰＣカードコネクタ１２にＰＣカード９を装着することはできない。
【００１９】
一方、信号変換装置１の蓋１１が閉じられていても、蓋１１に穴１８が設けられているので、メモリースティックコネクタ１３に装着されているメモリースティック１０は取り外しが可能で（メモリースティック１０は、メモリースティックコネクタ１３に押し込まれると、指で摘める位置までメモリースティックコネクタ１３から突出する）、また、メモリースティック１０はメモリースティックコネクタ１３に装着できる。
【００２０】
図６は、信号変換装置１の上面図である。信号変換装置１の上面には、記録ボタン２１、キャプチャボタン２２、インデックスボタン２３、再生ボタン２４、アナログ入力選択ボタン２５、およびＤＶ入力選択ボタン２６が設けられている。記録ボタン２１は、入力されているアナログのビデオ信号またはデジタルビデオデータに含まれる静止画像を、メモリースティックコネクタ１３に装着されているメモリースティック１０、またはＰＣカードコネクタ１２に装着されているＰＣカード９に記憶させるとき、操作される。
【００２１】
キャプチャボタン２２は、入力されているアナログのビデオ信号またはデジタルビデオデータに含まれる静止画像を、メモリースティックコネクタ１３に装着されているメモリースティック１０、またはＰＣカードコネクタ１２に装着されているＰＣカード９に記憶させる場合、モニタ５に表示している動画像を停止させるとき、操作される。
【００２２】
インデックスボタン２３は、メモリースティックコネクタ１３に装着されているメモリースティック１０、またはＰＣカードコネクタ１２に装着されているＰＣカード９に記憶されている複数の静止画像のサムネイル画像を、モニタ５に表示させるとき、操作される。
【００２３】
再生ボタン２４は、メモリースティックコネクタ１３に装着されているメモリースティック１０、またはＰＣカードコネクタ１２に装着されているＰＣカード９に記憶されている静止画像を、モニタ５に表示させるとき、操作される。
【００２４】
アナログ入力選択ボタン２５は、ＶＴＲ７から供給されるアナログのビデオ信号を信号変換装置１に入力するとき、操作される。ＤＶ入力選択ボタン２６は、デジタルＶＴＲ３から入力されたデジタルビデオデータを信号変換装置１に入力するとき、操作される。
【００２５】
ＬＥＤ１４，ＬＥＤ１５，ＬＥＤ１６、およびＬＥＤ１７の点灯または消灯の状態は、信号変換装置１の上面からも確認できる。
【００２６】
図７は、信号変換装置１の所定の部品が固定されている基板３１に対する、ＰＣカードコネクタ１２およびメモリースティックコネクタ１３の固定の状態を説明する図である。ＰＣカードコネクタ１２は、信号変換装置１の基板３１の図中の上側の面に固定されている。メモリースティックコネクタ１３は、信号変換装置１の基板３１の図中の下側の面に、メモリースティック１０を装着する開口部が、ＰＣカードコネクタ１２のＰＣカード９を装着する開口部と同一方向に、且つ、それぞれの開口部の上下方向の中心が、ほぼ一致するように固定されている。
【００２７】
ＰＣカードコネクタ１２およびメモリースティックコネクタ１３の開口部が同一方向に、また、それぞれの開口部の上下方向の中心が、ほぼ一致するように基板３１に固定されることで、基板３１上のＰＣカードコネクタ１２およびメモリースティックコネクタ１３の装着に必要な面積が少なくてすみ、従って、信号変換装置１を小型化することができる。
【００２８】
図８は、リモートコントローラ２の外観を説明する図である。リモートコントローラ２には、記録ボタン４１、キャプチャボタン４２、インデックスボタン４３、再生ボタン４４、アナログ入力選択ボタン４５、およびＤＶ入力選択ボタン４６が設けられている。記録ボタン４１は、信号変換装置１の記録ボタン２１に対応し、入力されているアナログのビデオ信号またはデジタルビデオデータに含まれる静止画像を、メモリースティックコネクタ１３に装着されているメモリースティック１０、またはＰＣカードコネクタ１２に装着されているＰＣカード９に記憶させるとき、操作される。
【００２９】
キャプチャボタン４２は、信号変換装置１のキャプチャボタン２２に対応し、入力されているアナログのビデオ信号またはデジタルビデオデータに含まれる静止画像を、メモリースティックコネクタ１３に装着されているメモリースティック１０、またはＰＣカードコネクタ１２に装着されているＰＣカード９に記憶させる場合、モニタ５に表示している動画像を停止させるとき、操作される。
【００３０】
インデックスボタン４３は、信号変換装置１のインデックスボタン２３に対応し、メモリースティックコネクタ１３に装着されているメモリースティック１０、またはＰＣカードコネクタ１２に装着されているＰＣカード９に記憶されている静止画像のインデックスを、モニタ５に表示させるとき、操作される。
【００３１】
再生ボタン４４は、信号変換装置１の再生ボタン２４に対応し、メモリースティックコネクタ１３に装着されているメモリースティック１０、またはＰＣカードコネクタ１２に装着されているＰＣカード９に記憶されている静止画像を、モニタ５に表示させるとき、操作される。
【００３２】
アナログ入力選択ボタン４５は、信号変換装置１のアナログ入力選択ボタン２５に対応し、ＶＴＲ７から供給されるアナログのビデオ信号を信号変換装置１に入力するとき、操作される。ＤＶ入力選択ボタン４６は、信号変換装置１のＤＶ入力選択ボタン２６に対応し、デジタルＶＴＲ３から入力されたデジタルビデオデータを信号変換装置１に入力するとき、操作される。
【００３３】
図９は、信号変換装置１の構成を説明するブロック図である。IEEE1394インターフェース６１は、一端にデジタルＶＴＲ３が接続されているIEEE1394シリアルバス４の他の一端が接続される、IEEE1394に準拠した入出力インターフェースであり、制御部６７の制御に基づき、IEEE1394シリアルバス４を介して、デジタルＶＴＲ３から入力されたデジタルビデオデータをＤＶ／デジタルビデオデータコンバータ６２に供給し、ＤＶ／デジタルビデオデータコンバータ６２が出力するデジタルビデオデータを、IEEE1394シリアルバス４を介して、デジタルＶＴＲ３に供給する。
【００３４】
ＤＶ／デジタルビデオデータコンバータ６２は、制御部６７による制御の基に、デジタルＶＴＲ３からデジタルビデオデータが信号変換装置１に入力されるとき、IEEE1394インターフェース６１から供給されたＤＶ  ＶＣＲフォーマットのデジタルビデオデータを、内部デジタルビデオデータに変換し、デジタルビデオデータ／アナログコンバータ６３およびデジタルビデオデータ／ＪＰＥＧ（Joint Photographic Experts Group）コンバータ６４に供給する。ＤＶ／デジタルビデオデータコンバータ６２は、ＶＴＲ７からアナログのビデオ信号が信号変換装置１に入力されるとき、デジタルビデオデータ／アナログコンバータ６３から供給された内部デジタルビデオデータを、ＤＶ  ＶＣＲフォーマットのデジタルビデオデータに変換し、IEEE1394インターフェース６１に供給する。
【００３５】
また、ＤＶ／デジタルビデオデータコンバータ６２は、デジタルビデオデータ／ＪＰＥＧコンバータ６４から供給された内部デジタルビデオデータを、ＤＶ  ＶＣＲフォーマットのデジタルビデオデータに変換し、IEEE1394インターフェース６１に供給する。
【００３６】
デジタルビデオデータ／アナログコンバータ６３は、制御部６７による制御の基に、デジタルＶＴＲ３からデジタルビデオデータが信号変換装置１に入力されるとき、ＤＶ／デジタルビデオデータコンバータ６２から供給された内部デジタルビデオデータを、アナログのビデオ信号に変換し、スーパーインポーズ部６８に供給する。デジタルビデオデータ／アナログコンバータ６３は、ＶＴＲ７からアナログのビデオ信号が信号変換装置１に入力されるとき、ＶＴＲ７から供給されたアナログのビデオ信号を、内部デジタルビデオデータに変換し、ＤＶ／デジタルビデオデータコンバータ６２およびデジタルビデオデータ／ＪＰＥＧコンバータ６４に供給する。
【００３７】
デジタルビデオデータ／ＪＰＥＧコンバータ６４は、制御部６７による制御の基に、ＤＶ／デジタルビデオデータコンバータ６２またはデジタルビデオデータ／アナログコンバータ６３から供給された内部デジタルビデオデータを、ＪＰＥＧ方式の静止画像のデータに変換し、ＰＣカードインターフェース６５およびメモリースティックインターフェース６６に出力する。また、デジタルビデオデータ／ＪＰＥＧコンバータ６４は、ＰＣカードインターフェース６５またはメモリースティックインターフェース６６から供給されたＪＰＥＧ方式の静止画像のデータを、内部デジタルビデオデータに変換し、ＤＶ／デジタルビデオデータコンバータ６２およびデジタルビデオデータ／アナログコンバータ６３に供給する。
【００３８】
ＰＣカードインターフェース６５は、制御部６７による制御の基に、ＰＣカードコネクタ１２に装着されているＰＣカード９に、デジタルビデオデータ／ＪＰＥＧコンバータ６４から供給されたＪＰＥＧ方式の静止画像のデータを記憶させ、ＰＣカードコネクタ１２に装着されているＰＣカード９が記憶しているＪＰＥＧ方式の静止画像のデータを読み出し、デジタルビデオデータ／ＪＰＥＧコンバータ６４に出力する。
【００３９】
メモリースティックインターフェース６６は、制御部６７による制御の基に、メモリースティックコネクタ１３に装着されているメモリースティック１０に、デジタルビデオデータ／ＪＰＥＧコンバータ６４から供給されたＪＰＥＧ方式の静止画像のデータを記憶させ、メモリースティックコネクタ１３に装着されているメモリースティック１０が記憶しているＪＰＥＧ方式の静止画像のデータを読み出し、デジタルビデオデータ／ＪＰＥＧコンバータ６４に出力する。
【００４０】
制御部６７は、キー入力部７１または受信部７２などから供給される信号を基に、IEEE1394インターフェース６１、ＤＶ／デジタルビデオデータコンバータ６２、デジタルビデオデータ／アナログコンバータ６３、デジタルビデオデータ／ＪＰＥＧコンバータ６４、ＰＣカードインターフェース６５、メモリースティックインターフェース６６、スーパーインポーズ部６８、および表示部７０を制御する。
【００４１】
スーパーインポーズ部６８は、制御部６７による制御の基に、信号変換装置１の状態を示す所定のアイコンまたは文字の信号を、デジタルビデオデータ／アナログコンバータ６３から供給されたアナログのビデオ信号に重畳させ、ケーブル６を介して、モニタ５に出力する。
【００４２】
時計部６９は、日付および時刻を示すデータを制御部６７に供給する。表示部７０は、ＬＥＤ１４、ＬＥＤ１５、ＬＥＤ１６、ＬＥＤ１７、およびＬＥＤ１４乃至ＬＥＤ１７を駆動するＬＥＤ駆動部などから構成され、制御部６７による制御の基に、ＬＥＤ１４、ＬＥＤ１５、ＬＥＤ１６、およびＬＥＤ１７を消灯、または所定の色で、点灯若しくは点滅させる。
【００４３】
キー入力部７１は、記録ボタン２１、キャプチャボタン２２、インデックスボタン２３、再生ボタン２４、アナログ入力選択ボタン２５、およびＤＶ入力選択ボタン２６などから構成され、記録ボタン２１、キャプチャボタン２２、インデックスボタン２３、再生ボタン２４、アナログ入力選択ボタン２５、およびＤＶ入力選択ボタン２６などの操作に応じた信号を制御部６７に供給する。受信部７２は、リモートコントローラ２から送信された赤外線を受光し、その赤外線の点滅パターン（記録ボタン４１、キャプチャボタン４２、インデックスボタン４３、再生ボタン４４、アナログ入力選択ボタン４５、およびＤＶ入力選択ボタン４６の操作に対応している）に対応した信号を制御部６７に供給する。
【００４４】
図１０は、再生ボタン２４が押されて、静止画像のデータが記憶されていないメモリースティック１０がメモリースティックコネクタ１３に装着されたとき、信号変換装置１がモニタ５に表示させる画面の例を説明する図である。信号変換装置１は、モニタ５の画面の右上に、メモリースティック１０のアイコン１０１を表示させ、メモリースティック１０のアイコン１０１の下側に、”メモリ再生”の文字を表示させる。また、信号変換装置１は、モニタ５の画面のメモリースティック１０のアイコン１０１の左側に、メモリースティックコネクタ１３に装着されているメモリースティック１０が静止画像を記憶していないことを示す”０／０”の文字を表示させる。”０／０”の右側の”０”は、メモリースティックコネクタ１３に装着されているメモリースティック１０が記憶している静止画像の枚数を示し、”０／０”の左側の”０”は、モニタ５の画面に表示している静止画像が、メモリースティック１０が記憶している静止画像のうちの何枚目の画像であるかを示す（記憶している静止画像が”０”なので、便宜的に、”０”を表示し、モニタ５の画面はブルーバックとなる）。
【００４５】
図１１は、インデックスボタン２３が押されて、静止画像のデータが記憶されていないＰＣカード９がＰＣカードコネクタ１２に装着されたとき、信号変換装置１がモニタ５に表示させる画面の例を説明する図である。信号変換装置１は、モニタ５の画面の右上に、ＰＣカード９のアイコン１０２を表示させ、ＰＣカード９のアイコン１０２の下側に、”インデックス再生”の文字を表示させる。また、信号変換装置１は、モニタ５の画面のＰＣカード９のアイコン１０２の左側に、ＰＣカードコネクタ１２に装着されているＰＣカード９が静止画像を記憶していないことを示す”０／０”の文字を表示させる。”０／０”の意味するところは、図１０の場合と同様であるので、その説明は省略する。
【００４６】
図１２は、再生ボタン２４が押されて、所定の静止画像のデータが記憶されているメモリースティック１０がメモリースティックコネクタ１３に装着されたとき、信号変換装置１がモニタ５に表示させる画面の例を説明する図である。信号変換装置１は、メモリースティック１０に記憶されている所定の画像をモニタ５に表示させる。
【００４７】
信号変換装置１は、図１０の場合と同様に、モニタ５の画面の右上に、メモリースティック１０のアイコン１０１を表示させ、メモリースティック１０のアイコン１０１の下側に、”メモリ再生”の文字を表示させる。
【００４８】
信号変換装置１は、モニタ５の画面のメモリースティック１０のアイコン１０１の左側に、例えば、メモリースティックコネクタ１３に装着されているメモリースティック１０が１２枚の静止画像を記憶し、モニタ５の画面に表示してる画像が１０枚目であることを示す”１０／１２”の文字を表示させる。信号変換装置１は、モニタ５の画面の上部の中央に、モニタ５の画面に表示してる画像の解像度を示す文字の一例である”ＳＦＮ”を表示させる。更に、信号変換装置１は、モニタ５の画面の上部の左側に、モニタ５の画面に表示してる画像に対応するファイルの名前と、モニタ５の画面に表示してる画像に対応するファイルが消去防止の設定がされていることを示すアイコン１０３を表示する。
【００４９】
また、信号変換装置１は、モニタ５の画面の下部の左側に、静止画像のデータがメモリースティック１０に記憶された日時を表示させる。信号変換装置１の設定により、日時は、表示させないようにすることもできる。
【００５０】
図１３は、インデックスボタン２３が押されて、所定の静止画像が記憶されているメモリースティック１０がメモリースティックコネクタ１３に装着されたとき、信号変換装置１がモニタ５に表示させる画面の例を説明する図である。信号変換装置１は、メモリースティック１０が記憶している画像から所定の数のサムネイル画像を生成し、モニタ５の画面に所定の数のサムネイル画像を表示するとともに、それぞれのサムネイル画像に対応するファイルの名前などを表示させる。信号変換装置１は、モニタ５の画面の右下に、メモリースティック１０のアイコン１０１を表示させる。
【００５１】
信号変換装置１は、モニタ５の画面のメモリースティック１０のアイコン１０１の左側に、例えば、メモリースティックコネクタ１３に装着されているメモリースティック１０が１２０枚の静止画像を記憶し、モニタ５の画面に表示されている最後のサムネイル画像（最も番号の大きい画像）が１２０枚目であることを示す”１２０／１２０”の文字を表示させる。更に、信号変換装置１は、モニタ５の画面の下部の左側に、モニタ５の画面に表示してる最後の画像に対応するファイルの名前を表示する。
【００５２】
図１４は、メモリースティックコネクタ１３に装着されているメモリースティック１０が記憶している画像を再生している場合、メモリースティック１０をメモリースティックコネクタ１３から引き抜いたとき、画像変換装置１がモニタ５に表示させる画面の例を示す図である。画像変換装置１は、メモリースティック１０がメモリースティックコネクタ１３から引き抜かれたことを示すアイコン１０４をモニタ５の画面の中央に表示させる。
【００５３】
図１５は、メモリースティックコネクタ１３に装着されているメモリースティック１０が記憶している画像、またはＰＣカードコネクタ１２に装着されているＰＣカード９が記憶している画像を再生している場合、メモリースティック１０をメモリースティックコネクタ１３から引き抜くとともに、ＰＣカード９をＰＣカードコネクタ１２から引き抜いたとき、画像変換装置１がモニタ５に表示させる画面の例を示す図である。画像変換装置１は、メモリースティック１０がメモリースティックコネクタ１３から引き抜かれたことを示すアイコン１０４、およびＰＣカード９がＰＣカードコネクタ１２から引き抜かれたことを示すアイコン１０５をモニタ５の画面の中央に並べて表示させる。
【００５４】
図１６は、記録ボタン２１が押されて、メモリースティックコネクタ１３に装着されているメモリースティック１０に、アナログのビデオ信号に含まれる静止画像に対応するデータが記憶されたとき、信号変換装置１がモニタ５に表示させる画面の例を説明する図である。信号変換装置１は、モニタ５の画面の右上に、メモリースティック１０のアイコン１０１を表示させ、メモリースティック１０のアイコン１０１の下側に、”アナログ入力”の文字を表示させる。
【００５５】
信号変換装置１は、モニタ５の画面のメモリースティック１０のアイコン１０１の左側に、メモリースティックコネクタ１３に装着されているメモリースティック１０の画像の記憶の状態を示す、”８０／１２０”の文字を表示させる。”８０／１２０”の右側の”１２０”は、メモリースティックコネクタ１３に装着されているメモリースティック１０が記憶できる最大の静止画像（所定の圧縮率で生成された）の枚数を示し、”８０／１２０”の左側の”８０”は、メモリースティックコネクタ１３に装着されているメモリースティック１０に現在記憶されている画像の枚数を示す。信号変換装置１は、モニタ５の画面の上部の中央に、静止画像の圧縮率を示す文字の一例である”standard”を表示させる。
【００５６】
更に、信号変換装置１は、モニタ５の画面の下部の左側に、メモリースティック１０に静止画像のファイルを記憶させた日時を表示させる。信号変換装置１の設定により、日時は、表示させないようにすることもできる。
【００５７】
図１７は、記録ボタン２１が押されて、ＰＣカードコネクタ１２に装着されているＰＣカード９に、デジタルビデオデータに含まれる静止画像が記憶されたとき、信号変換装置１がモニタ５に表示させる画面の例を説明する図である。信号変換装置１は、モニタ５の画面の右上に、ＰＣカード９のアイコン１０２を表示させ、ＰＣカード９のアイコン１０２の下側に、”ＤＶ入力”の文字を表示させる。
【００５８】
信号変換装置１は、モニタ５の画面のＰＣカード９のアイコン１０２の左側に、ＰＣカードコネクタ１２に装着されているＰＣカード９の画像の記憶の状態を示す、”３０／８０”の文字を表示させる。”３０／８０”の表示が示す内容は、図１６の場合と同様であるので、その説明は省略する。
【００５９】
信号変換装置１は、モニタ５の画面の上部の中央に、静止画像の圧縮率を示す文字の一例である”ＳＦＮ”を表示させ、モニタ５の画面の下部の左側に、ＰＣカード９に静止画像のファイルを記憶させた日時を表示させる。信号変換装置１の設定により、日時は、表示させないようにすることもできる。
【００６０】
図１８は、ＰＣカードコネクタ１２に装着されているＰＣカード９が記憶している静止画像のファイルを、メモリースティックコネクタ１３に装着されているメモリースティック１０にコピーするとき、信号変換装置１がモニタ５に表示させる画面の例を示す図である。信号変換装置１は、モニタ５の画面の中央に、ＰＣカード９を示すアイコン１０２、メモリースティック１０を示すアイコン１０１、および静止画像のファイルがＰＣカード９からメモリースティック１０にコピーされることを示すアイコン１０６を表示させる。
【００６１】
次に、再生ボタン２４またはインデックスボタン２３が押されて、メモリースティック１０またはＰＣカード９が装着されたとき、制御部６７が、メモリースティック１０のアイコン１０１またはＰＣカード９のアイコン１０２を、モニタ５に表示させる処理を、図１９のフローチャートを参照して説明する。ステップＳ１１において、信号変換装置１の制御部６７は、メモリースティックインターフェース６６から供給された信号を基に、メモリースティックコネクタ１３にメモリースティック１０が装着されたか否かを判定し、メモリースティックコネクタ１３にメモリースティック１０が装着されたと判定された場合、ステップＳ１２に進み、スーパーインポーズ部６８に、メモリースティック１０のアイコン１０１を表示させ、ステップＳ１１に戻り、アイコンを表示させる処理を繰り返す。
【００６２】
ステップＳ１１において、メモリースティックコネクタ１３にメモリースティック１０が装着されていないと判定された場合、ステップＳ１３に進み、制御部６７は、ＰＣカードインターフェース６５から供給された信号を基に、ＰＣカードコネクタ１２にＰＣカード９が装着されたか否かを判定する。ステップＳ１３において、ＰＣカードコネクタ１２にＰＣカード９が装着されたと判定された場合、ステップＳ１４に進み、制御部６７は、スーパーインポーズ部６８に、ＰＣカード９のアイコン１０２を表示させ、ステップＳ１１に戻り、アイコンを表示させる処理を繰り返す。
【００６３】
ステップＳ１３において、ＰＣカードコネクタ１２にＰＣカード９が装着されていないと判定された場合、メモリースティック１０およびＰＣカード９がいずれも装着されていないので、ステップＳ１５に進み、制御部６７は、スーパーインポーズ部６８に、メモリスティックが装着されていないことを示すアイコン１０４、およびＰＣカードが装着されていないことを示すアイコン１０５を表示させ、手続きは、ステップＳ１１に戻り、メモリースティック１０またはＰＣカード９が装着されるまで、処理を繰り返す。
【００６４】
以上のように、再生ボタン２４またはインデックスボタン２３が押されて、メモリースティック１０またはＰＣカード９が装着されたとき、信号変換装置１は、モニタ５の画面に、装着されたメモリースティック１０またはＰＣカード９に対応するアイコンを表示させる。
【００６５】
次に、メモリースティックコネクタ１３に装着されているメモリースティック１０またはＰＣカードコネクタ１２に装着されているＰＣカード９に記憶されている画像を再生する処理を、図２０のフローチャートを参照して説明する。ステップＳ３１において、信号変換装置１の制御部６７は、メモリースティックインターフェース６６から供給された信号およびＰＣカードインターフェース６５から供給された信号を基に、メモリースティック１０がメモリースティックコネクタ１３に装着され、またはＰＣカード９がＰＣカードコネクタ１２に装着されているか否かを判定し、メモリースティック１０およびＰＣカード９いずれも装着されていないと判定された場合、ステップＳ３２に進み、スーパーインポーズ部６８に、メモリースティック１０が装着されていないことを示すアイコン１０４、およびＰＣカード９が装着されていないことを示すアイコン１０５を表示させ、ステップＳ３１に戻り、メモリースティック１０またはＰＣカード９のいずれかが装着されるまで、処理を繰り返す。
【００６６】
ステップＳ３１において、メモリースティック１０またはＰＣカード９のいずれかが装着されていると判定された場合、ステップＳ３３に進み、信号変換装置１の制御部６７は、メモリースティックインターフェース６６から供給された信号を基に、メモリースティック１０がメモリースティックコネクタ１３に装着されているか否かを判定する。ステップＳ３３において、メモリースティック１０がメモリースティックコネクタ１３に装着されていると判定された場合、ステップＳ３４に進み、制御部６７は、スーパーインポーズ部６８に、メモリースティック１０が装着されていることを示すアイコン１０１を表示させる。
【００６７】
ステップＳ３５において、信号変換装置１の制御部６７は、メモリースティックインターフェース６６に、メモリースティックコネクタ１３に装着されているメモリースティック１０から、メモリースティック１０に記憶されている画像の枚数、および画像の圧縮率などのデータを読み出させる。ステップＳ３６において、信号変換装置１の制御部６７は、スーパーインポーズ部６８に、メモリースティック１０に記憶されている画像の枚数、および画像の圧縮率を示す文字などを表示させる。
【００６８】
ステップＳ３７において、信号変換装置１の制御部６７は、メモリースティックインターフェース６６に、メモリースティック１０に記憶されている所定の静止画像のデータを読み出させ、その静止画像のデータをデジタルビデオデータ／ＪＰＥＧコンバータ６４に供給させる。デジタルビデオデータ／ＪＰＥＧコンバータ６４は、メモリースティックインターフェース６６から供給されたＪＰＥＧの形式を有する静止画像のデータを、内部デジタルビデオデータに変換し、デジタルビデオデータ／アナログコンバータ６３に供給する。デジタルビデオデータ／アナログコンバータ６３は、デジタルビデオデータ／ＪＰＥＧコンバータ６４から供給された内部デジタルビデオデータを、アナログのビデオ信号に変換し、モニタ５に供給し、所定の静止画像をモニタ５に表示させる。
【００６９】
ステップＳ３８において、信号変換装置１の制御部６７は、キー入力部７１から供給される信号を基に、キー入力部７１の再生ボタン２４が押されたか否かを判定し、再生ボタン２４が押されたと判定された場合、ＰＣカード９に記憶されている画像を再生するので、ステップＳ３９に進み、ＰＣカードインターフェース６５から供給される信号を基に、ＰＣカードコネクタ１２にＰＣカード９が装着されているか否かを判定する。
【００７０】
ステップＳ３９において、ＰＣカードコネクタ１２にＰＣカード９が装着されていないと判定された場合、ステップＳ４０に進み、制御部６７は、メモリースティックインターフェース６６から供給された信号を基に、メモリースティックコネクタ１３からメモリースティック１０が抜かれたか否かを判定する。ステップＳ４０において、メモリースティックコネクタ１３からメモリースティック１０が抜かれたと判定された場合、信号変換装置１の制御部６７は、スーパーインポーズ部６８に、メモリースティック１０が抜かれたことを示すアイコン１０４を表示させ、ステップＳ３１に戻り、画像の再生の処理を繰り返す。
【００７１】
ステップＳ４０において、メモリースティックコネクタ１３からメモリースティック１０が抜かれていないと判定された場合、メモリースティック１０に記憶されている画像を再生するので、手続きは、ステップＳ３７に戻り、所定の画像を表示させる処理を繰り返す。
【００７２】
ステップＳ３８において、再生ボタン２４が押されていないと判定された場合、引き続いてメモリースティック１０に記憶されている画像を再生するので、ステップＳ３９をスキップし、手続きは、ステップＳ４０に進む。
【００７３】
ステップＳ３９において、ＰＣカードコネクタ１２にＰＣカード９が装着されていると判定された場合、および、ステップＳ３３において、メモリースティック１０がメモリースティックコネクタ１３に装着されていないと判定された場合、ＰＣカード９に記憶されている画像を再生するので、ステップＳ４２に進み、制御部６７は、スーパーインポーズ部６８に、ＰＣカード９が装着されていることを示すアイコン１０２を表示させる。
【００７４】
ステップＳ４３において、信号変換装置１の制御部６７は、ＰＣカードインターフェース６５に、ＰＣカードコネクタ１２に装着されているＰＣカード９から、ＰＣカード９に記憶されている画像の枚数、および画像の圧縮率などのデータを読み出させる。ステップＳ４４において、信号変換装置１の制御部６７は、スーパーインポーズ部６８に、ＰＣカード９に記憶されている画像の枚数、および画像の圧縮率に対応する文字などを表示させる。
【００７５】
ステップＳ４５において、信号変換装置１の制御部６７は、ＰＣカードインターフェース６５に、ＰＣカード９に記憶されている所定の静止画像のデータを読み出させ、その静止画像のデータをデジタルビデオデータ／ＪＰＥＧコンバータ６４に供給させる。デジタルビデオデータ／ＪＰＥＧコンバータ６４は、ＰＣカードインターフェース６５から供給されたＪＰＥＧの形式を有する静止画像のデータを、内部デジタルビデオデータに変換し、デジタルビデオデータ／アナログコンバータ６３に供給する。デジタルビデオデータ／アナログコンバータ６３は、デジタルビデオデータ／ＪＰＥＧコンバータ６４から供給された内部デジタルビデオデータを、アナログのビデオ信号に変換し、モニタ５に供給し、所定の静止画像をモニタ５に表示させる。
【００７６】
ステップＳ４６において、信号変換装置１の制御部６７は、キー入力部７１から供給される信号を基に、キー入力部７１の再生ボタン２４が押されたか否かを判定し、再生ボタン２４が押されたと判定された場合、メモリースティック１０に記憶されている画像を再生するので、ステップＳ４７に進み、メモリースティックインターフェース６６から供給される信号を基に、メモリースティックコネクタ１３にメモリースティック１０が装着されているか否かを判定する。
【００７７】
ステップＳ４７において、メモリースティックコネクタ１３にメモリースティック１０が装着されていないと判定された場合、ステップＳ４８に進み、制御部６７は、ＰＣカードインターフェース６５から供給された信号を基に、ＰＣカードコネクタ１２からＰＣカード９が抜かれたか否かを判定する。ステップＳ４８において、ＰＣカードコネクタ１２からＰＣカード９が抜かれたと判定された場合、信号変換装置１の制御部６７は、スーパーインポーズ部６８に、ＰＣカード９が抜かれたことを示すアイコン１０５を表示させ、ステップＳ３１に戻り、処理を繰り返す。
【００７８】
ステップＳ４８において、ＰＣカードコネクタ１２からＰＣカード９が抜かれていないと判定された場合、ＰＣカード９に記憶されている画像を再生するので、手続きは、ステップＳ４５に戻り、所定の画像を表示させる処理を繰り返す。
【００７９】
ステップＳ４６において、再生ボタン２４が押されていないと判定された場合、引き続きＰＣカード９に記憶されている画像を再生するので、ステップＳ４７をスキップし、手続きは、ステップＳ４８に進む。
【００８０】
ステップＳ４７において、メモリースティックコネクタ１３にメモリースティック１０が装着されていると判定された場合、メモリースティック１０に記憶されている画像を再生するので、ステップＳ３４に進み、メモリースティック１０に記憶されている静止画像を表示させる処理を実行する。
【００８１】
以上のように、信号変換装置１は、メモリースティック１０またはＰＣカード９に記憶されている所定の静止画像を、モニタ５に表示させる。メモリースティック１０に記憶されている静止画像をモニタ５に表示させているとき、再生ボタン２４を押せば、ＰＣカード９に記憶されている所定の静止画像を、モニタ５に表示させることができる。また、ＰＣカード９に記憶されている静止画像をモニタ５に表示させているとき、再生ボタン２４を押せば、メモリースティック１０に記憶されている所定の静止画像をモニタ５に表示させることができる。
【００８２】
また、同様な処理で、信号変換装置１は、メモリースティック１０またはＰＣカード９に記憶されている所定の静止画像のデータを、ＤＶ  ＶＣＲ方式のデジタルビデオデータに変換し、デジタルＶＴＲ３に供給することができる。
【００８３】
次に、デジタルＶＴＲ３から供給されたデジタルビデオデータに含まれる静止画像、またはＶＴＲ７から供給されたアナログのビデオ信号に含まれる静止画像をメモリースティック１０またはＰＣカード９に記憶させる処理を、図２１のフローチャートを参照して説明する。ステップＳ７１において、信号変換装置１の制御部６７は、キー入力部７１のキャプチャボタン２２が押されたか否かを判定し、キャプチャボタン２２が押されたと判定された場合、ステップＳ７２に進み、デジタルビデオデータ／アナログコンバータ６３またはＤＶ／デジタルビデオデータコンバータ６２から供給される信号から、デジタルビデオデータ／アナログコンバータ６３がモニタ５に表示させている画像がフリーズしているか否かを判定する。
【００８４】
ステップＳ７２において、デジタルビデオデータ／アナログコンバータ６３がモニタ５に表示させている画像がフリーズしていないと判定された場合、ステップＳ７３に進み、制御部６７は、デジタルビデオデータ／アナログコンバータ６３またはＤＶ／デジタルビデオデータコンバータ６２に、モニタ５が表示している画像をフリーズさせ、ステップＳ７５に進む。
【００８５】
ステップＳ７２において、デジタルビデオデータ／アナログコンバータ６３がモニタ５に表示させている画像がフリーズしていると判定された場合、ステップＳ７４に進み、制御部６７は、デジタルビデオデータ／アナログコンバータ６３またはＤＶ／デジタルビデオデータコンバータ６２に、モニタ５が表示している画像のフリーズを解除させ、ステップＳ７５に進む。
【００８６】
ステップＳ７１において、キャプチャボタン２２が押されていないと判定された場合、ステップＳ７２乃至ステップＳ７４の処理はスキップされ、手続きは、ステップＳ７５に進む。
【００８７】
ステップＳ７５において、制御部６７は、キー入力部７１の記録ボタン２１が押されたか否かを判定し、記録ボタン２１が押されたと判定された場合、ステップＳ７６に進み、制御部６７は、デジタルビデオデータ／ＪＰＥＧコンバータ６４に、デジタルビデオデータ／アナログコンバータ６３またはＤＶ／デジタルビデオデータコンバータ６２から供給される内部デジタルビデオデータをＪＰＥＧ方式のデータに変換させ、ＰＣカードインターフェース６５およびメモリースティックインターフェース６６に供給させる。ステップＳ７７において、制御部６７は、時計部６９から供給される日付および時刻を示すデータを基に、日付および時刻を示すデータをＰＣカードインターフェース６５およびメモリースティックインターフェース６６に供給する。
【００８８】
ステップＳ７８において、制御部６７は、メモリースティックインターフェース６６から供給される信号を基に、メモリースティックコネクタ１３にメモリースティック１０が装着されているか否かを判定し、メモリースティックコネクタ１３にメモリースティック１０が装着されていると判定された場合、メモリースティックインターフェース６６に、静止画像並びに日付および時刻のデータをメモリースティックコネクタ１３に装着されているメモリースティック１０へ書き込ませる。ステップ８０において、制御部６７は、スーパーインポーズ部６８に、所定のアイコンおよびデータを表示させ、ステップＳ７１に戻り、静止画像を記憶する処理を繰り返す。
【００８９】
ステップＳ７８において、メモリースティックコネクタ１３にメモリースティック１０が装着されていないと判定された場合、ステップＳ８１に進み、制御部６７は、ＰＣカードインターフェース６５から供給される信号を基に、ＰＣカードコネクタ１２にＰＣカード９が装着されているか否かを判定する。ステップＳ８１において、ＰＣカードコネクタ１２にＰＣカード９が装着されていると判定された場合、ステップＳ８２に進み、制御部６７は、ＰＣカードインターフェース６５に、静止画像並びに日付および時刻のデータをＰＣカードコネクタ１２に装着されているＰＣカード９へ書き込ませる。ステップ８３において、制御部６７は、スーパーインポーズ部６８に、所定のアイコンおよびデータを表示させ、ステップＳ７１に戻り、静止画像を記憶する処理を繰り返す。
【００９０】
ステップＳ８１において、ＰＣカードコネクタ１２にＰＣカード９が装着されていないと判定された場合、データの書き込みができないので、ステップＳ８４に進み、制御部６７は、スーパーインポーズ部６８に、所定のエラーメッセージを表示させ、ステップＳ７１に戻り、静止画像を記憶する処理を繰り返す。
【００９１】
ステップＳ７５において、記録ボタン２１が押されていないと判定された場合、ステップＳ７１に戻り、静止画像を記憶する処理を繰り返す。
【００９２】
以上のように、キャプチャボタン２２の操作により、信号変換装置１は、モニタ５に表示させる画像をフリーズさせることができる。キャプチャボタン２２が押されず、記録ボタン２１が押された場合、信号変換装置１は、モニタ５に表示させる画像をフリーズさせずに、メモリースティック１０またはＰＣカード９のいずれかに静止画像を記憶させることができる。
【００９３】
従って、例えば、信号変換装置１のアナログのビデオ信号の出力の端子に、モニタ５に代えてＶＴＲ７を接続し、信号変換装置１は、デジタルＶＴＲ３から供給されているデジタルビデオデータを、アナログのビデオ信号に変換し、ＶＴＲ７は、そのビデオ信号をＶＴＲ７に装着したテープに記録しているとき、記録ボタン２１のみを押せば、信号変換装置１は、ＶＴＲ７が記録している画像に影響を与えず、所定の静止画像をメモリースティック１０またはＰＣカード９に記憶することができる。
【００９４】
次に、メモリースティック１０に記憶されている静止画像のデータを、ＰＣカード９にコピーする処理を図２２のフローチャートを参照して説明する。ステップＳ１０１において、使用者は、コピーした静止画像のデータが記憶されているメモリースティック１０をメモリースティックコネクタ１３に装着し、コピーしたいデータに対応する画像を再生する。ステップＳ１０２において、信号変換装置１の制御部６７は、受信部７２から供給される信号を基に、リモートコントローラ２のコピーボタンが押されたか否かを判定し、リモートコントローラ２のコピーボタンが押されていないと判定された場合、ステップＳ１０１に戻り、リモートコントローラ２のコピーボタンが押されるまで、処理を繰り返す。
【００９５】
ステップＳ１０２において、リモートコントローラ２のコピーボタンが押されたと判定された場合、ステップＳ１０３に進み、信号変換装置１の制御部６７は、ＰＣカードインターフェース６５から供給される信号を基に、ＰＣカードコネクタ１２にＰＣカード９が装着されているか否かを判定する。ステップＳ１０３において、ＰＣカードコネクタ１２にＰＣカード９が装着されていると判定された場合、ステップＳ１０４に進み、信号変換装置１の制御部６７は、スーパーインポーズ部６８に、コピーの確認の画面を表示させる。
【００９６】
ステップＳ１０５において、信号変換装置１の制御部６７は、受信部７２から供給される信号を基に、リモートコントローラ２のコピーボタンが押されたか否かを判定し、リモートコントローラ２のコピーボタンが押されたと判定された場合、ステップＳ１０６に進み、メモリースティックインタフェース６６に、メモリースティックコネクタ１３に装着されているメモリースティック１０から再生されている画像に対応するデータを読み出させ、ＰＣカードインターフェース６５に、そのデータを、ＰＣカードコネクタ１２に装着されているＰＣカード９へ書き込ませる。
【００９７】
ステップＳ１０７において、信号変換装置１の制御部６７は、スーパーインポーズ部６８に、図１８に示したコピーの実行中を示すアイコンを表示させ、ステップＳ１０１に戻り、コピーの処理を繰り返す。
【００９８】
ステップＳ１０５において、リモートコントローラ２のコピーボタンが押されていないと判定された場合、ステップＳ１０８に進み、信号変換装置１の制御部６７は、受信部７２から供給される信号を基に、リモートコントローラ２のコピーボタン以外のボタンが押されたか否かを判定する。ステップＳ１０８において、リモートコントローラ２のコピーボタン以外のボタンが押されていないと判定された場合、リモートコントローラ２のいずれのボタンも操作されていないので、手続きは、ステップＳ１０５に戻り、リモートコントローラ２の操作がされるまで処理を繰り返す。
【００９９】
ステップＳ１０８において、リモートコントローラ２のコピーボタン以外のボタンが押されたと判定された場合、コピーがキャンセルされたので、ステップＳ１０１に戻り、画像のデータのコピーの処理を繰り返す。
【０１００】
ステップＳ１０３において、ＰＣカードコネクタ１２にＰＣカード９が装着されていないと判定された場合、ステップＳ１０９に進み、信号変換装置１の制御部６７は、スーパーインポーズ部６８に、ＰＣカード９の装着を促す画面を表示させ、ステップＳ１０１に戻り、コピーの処理を繰り返す。
【０１０１】
以上のように、信号変換装置１は、メモリースティック１０に記憶されている所定の静止画像のデータを、ＰＣカード９にコピーする。ＰＣカード９に記憶されている所定の静止画像のデータを、メモリースティック１０にコピーする手順も、同様の手順である。また、インデックス再生されている複数の静止画像のデータをコピーするようにしてもよい。
【０１０２】
次に、メモリースティックコネクタ１３に装着されているメモリースティック１０の状態を示す、ＬＥＤ１４の点灯の処理を図２３のフローチャートを参照して説明する。ステップＳ１３１において、信号変換装置１の制御部６７は、メモリースティックインターフェース６６から供給される信号を基に、メモリースティック１０にエラーが発生したか否かを判定し、メモリースティック１０にエラーが発生したと判定された場合、ステップＳ１３２に進み、表示部７０のＬＥＤ１４を赤く点滅させ、ステップＳ１３１に戻り、処理を繰り返す。
【０１０３】
ステップＳ１３１において、メモリースティック１０にエラーが発生していないと判定された場合、ステップＳ１３３に進み、信号変換装置１の制御部６７は、メモリースティックインターフェース６６から供給される信号を基に、メモリースティックコネクタ１３に装着されているメモリースティック１０に静止画像のデータを書き込んでいるか否かを判定し、メモリースティック１０に静止画像のデータを書き込んでいると判定された場合、ステップＳ１３４に進み、表示部７０のＬＥＤ１４を赤く点灯させ、ステップＳ１３１に戻り、処理を繰り返す。
【０１０４】
ステップＳ１３３において、メモリースティック１０に静止画像のデータを書き込んでいないと判定された場合、ステップＳ１３５に進み、信号変換装置１の制御部６７は、メモリースティックコネクタ１３に装着されているメモリースティック１０に記憶されている静止画像を再生しているか否かを判定し、メモリースティック１０に記憶されている静止画像を再生していると判定された場合、ステップＳ１３６に進み、メモリースティックコネクタ１３に装着されているメモリースティック１０に記憶されている静止画像のデータを読み出しているか否かを判定する。
【０１０５】
ステップＳ１３６において、メモリースティックコネクタ１３に装着されているメモリースティック１０に記憶されている静止画像のデータを読み出していないと判定された場合、ステップＳ１３７に進み、信号変換装置１の制御部６７は、表示部７０のＬＥＤ１４を緑に点灯させ、ステップＳ１３１に戻り、処理を繰り返す。
【０１０６】
ステップＳ１３６において、メモリースティックコネクタ１３に装着されているメモリースティック１０に記憶されている静止画像のデータを読み出していると判定された場合、ステップＳ１３８に進み、信号変換装置１の制御部６７は、表示部７０のＬＥＤ１４を緑に点滅させ、ステップＳ１３１に戻り、処理を繰り返す。
【０１０７】
ステップＳ１３５において、メモリースティック１０に記憶されている静止画像を再生していないと判定された場合、ステップＳ１３９に進み、信号変換装置１の制御部６７は、表示部７０のＬＥＤ１４を消灯させ、ステップＳ１３１に戻り、処理を繰り返す。
【０１０８】
以上のように、信号変換装置１の制御部６７は、メモリースティックコネクタ１３に装着されているメモリースティック１０の状態に対応させて、ＬＥＤ１４を点灯または点滅させる。ＬＥＤ１７は、同様の処理により、ＰＣカードコネクタ１２に装着されているＰＣカード９の状態に対応して、点灯または点滅される。
【０１０９】
なお、信号変換装置１にＰＣカード９およびメモリースティック１０を装着するとして説明したが、スマートメディア（商標）またはコンパクトフラッシュ（商標）などの他の記憶媒体を装着して使用してもよい。
【０１１０】
また、信号変換装置１にＤＶ  ＶＣＲフォーマットのデジタルビデオデータが入力され、信号変換装置１からＤＶ  ＶＣＲフォーマットのデジタルビデオデータが出力されるとして説明したが、デジタルビデオデータは、MPEG(Moving Picture Experts Group)などの方式で圧縮されているデジタルビデオデータでもよい。デジタルビデオデータは、テープの他に、ディスクまたは固体メモリに記録されていても、ネットワークまたは衛星などを介して入力または出力されてもよい。
【０１１１】
また、ＰＣカード９からメモリースティック１０に静止画像をコピーするとき、信号変換装置１は、モニタ５の画面の中央に、アイコン１０１、アイコン１０２、およびアイコン１０６を表示させるとして説明したが、例えば、デジタルＶＴＲ３からＶＴＲ７に動画像をコピーするとき、信号変換装置１は、モニタ５の画面の上部の右側に、デジタルＶＴＲ３を示すアイコン、ＶＴＲ７を示すアイコン、および動画像のコピーを示すアイコンを表示させるようにしてもよい。更に、例えば、メモリースティック１０の静止画像を、デジタルＶＴＲ３に装着されているメモリースティックにコピーするとき、信号変換装置１は、アイコン１０１、アイコン１０６、および、デジタルＶＴＲ３に装着されているメモリースティックを示すアイコンを表示させるようにしてもよい。
【０１１２】
なお、信号変換装置１の制御部６７は、ＬＥＤ１４に代えて、スーパーインポーズ部６８に、メモリースティック１０の利用の状態に対応させた所定のアイコンまたは文字を表示させるようにしてもよい。
【０１１３】
また、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【０１１４】
【発明の効果】
請求項１に記載の情報処理装置によれば、第１の記憶媒体が装着され、第２の記憶媒体が装着され、第１の記憶媒体を装着するための第１の開口部が遮蔽または開放され、第１の開口部が遮蔽された状態において、穴を通じて、第２の記憶媒体を装着するための第２の開口部を介し、第２の記憶媒体が着脱され、装着された第２の記憶媒体は、指で摘める位置に穴から突出するようにしたので、情報処理装置に複数の記憶媒体が装着されていても、着脱する記憶媒体がわかりやすく、着脱する記憶媒体を間違えることがない。
【図面の簡単な説明】
【図１】本発明に係る信号変換装置１の実施の形態を示す図である。
【図２】信号変換装置１の蓋１１を開いた状態の正面図である。
【図３】信号変換装置１の蓋１１を開いた状態の右側面図である。
【図４】信号変換装置１の蓋１１を閉じた状態の正面図である。
【図５】信号変換装置１の蓋１１を閉じた状態の右側面図である。
【図６】信号変換装置１の上面図である。
【図７】基板３１に対する、ＰＣカードコネクタ１２およびメモリースティックコネクタ１３の装着の状態を説明する図である。
【図８】リモートコントローラ２の外観を説明する図である。
【図９】信号変換装置１の構成を説明するブロック図である。
【図１０】信号変換装置１がモニタ５に表示させる画面の例を説明する図である。
【図１１】信号変換装置１がモニタ５に表示させる画面の例を説明する図である。
【図１２】信号変換装置１がモニタ５に表示させる画面の例を説明する図である。
【図１３】信号変換装置１がモニタ５に表示させる画面の例を説明する図である。
【図１４】信号変換装置１がモニタ５に表示させる画面の例を説明する図である。
【図１５】信号変換装置１がモニタ５に表示させる画面の例を説明する図である。
【図１６】信号変換装置１がモニタ５に表示させる画面の例を説明する図である。
【図１７】信号変換装置１がモニタ５に表示させる画面の例を説明する図である。
【図１８】信号変換装置１がモニタ５に表示させる画面の例を説明する図である。
【図１９】メモリースティック１０のアイコン１０１またはＰＣカード９のアイコン１０２をモニタ５に表示させる処理を説明するフローチャートである。
【図２０】メモリースティック１０またはＰＣカード９に記憶されている画像を再生する処理を説明するフローチャートである。
【図２１】静止画像をメモリースティック１０またはＰＣカード９に記憶させる処理を説明するフローチャートである。
【図２２】メモリースティック１０に記憶されている静止画像をＰＣカード９にコピーする処理を説明するフローチャートである。
【図２３】ＬＥＤ１４の点灯の処理を説明するフローチャートである。
【符号の説明】
１  信号変換装置，  ２  リモートコントローラ，  ９  ＰＣカード，  １０メモリースティック，  １１  蓋，  １２  ＰＣカードコネクタ，  １３  メモリースティックコネクタ，  １４および１７  ＬＥＤ，  １８  穴，  ３１  基板，  ６１  IEEE1394インターフェース，  ６２  ＤＶ／デジタルビデオデータコンバータ，  ６３  デジタルビデオデータ／アナログコンバータ，  ６４  デジタルビデオデータ／ＪＰＥＧコンバータ，  ６５  ＰＣカードインターフェース，  ６６  メモリースティックインターフェース，  ６７  制御部，  ６８スーパーインポーズ部，  ６９  時計部，  １０１乃至１０６  アイコン
【図１】
0004277342.tif 000002
【図２】
0004277342.tif 000003
【図３】
0004277342.tif 000004
【図４】
0004277342.tif 000005
【図５】
0004277342.tif 000006
【図６】
0004277342.tif 000007
【図７】
0004277342.tif 000008
【図８】
0004277342.tif 000009
【図９】
0004277342.tif 000010
【図１０】
0004277342.tif 000011
【図１１】
0004277342.tif 000012
【図１２】
0004277342.tif 000013
【図１３】
0004277342.tif 000014
【図１４】
0004277342.tif 000015
【図１５】
0004277342.tif 000016
【図１６】
0004277342.tif 000017
【図１７】
0004277342.tif 000018
【図１８】
0004277342.tif 000019
【図１９】
0004277342.tif 000020
【図２０】
0004277342.tif 000021
【図２１】
0004277342.tif 000022
【図２２】
0004277342.tif 000023
【図２３】
0004277342.tif 000024